(57)【要約】【課題】複数の記憶媒体に記憶された画像に応じたサムネイルを組み合わせて一度に表示して全記憶媒体の記憶内容の一目で確認できるようにする。【解決手段】録画再生装置１は、装置内に取り付けた内蔵式のハードディスク装置７、ＤＶＤドライブ部８、ＢＤドライブ部９、及びＨＤ−ＤＶＤドライブ部１０を有する。各ドライブ部８〜１０に記憶メディア（ＤＶＤ、ＢＤ、ＨＤ−ＤＶＤ）が装着されると、録画再生装置１は、各記憶メディアに記憶されたサムネイルをハードディスク装置７へ複写し、ハードディスク装置７に記憶したサムネイルデータ１４に基づきサムネイルレイアウトデータ２０を作成し、サムネイルレイアウトデータ２０の一部又は全部を外部出力部６から出力し、表示装置１９で録画再生装置１がアクセスできる全記憶メディアに対応した全サムネイル表示を行う。【選択図】図１
2007096937.tif 000002
【特許請求の範囲】
【請求項１】
複数の記憶媒体のそれぞれに記憶してある画像の再生が可能な画像再生装置において、
別々の記憶媒体に記憶してある画像に応じたサムネイルを組み合わせて配置したサムネイル配置画を作成する配置画作成手段と、
作成したサムネイル配置画を出力する出力手段と
を備えることを特徴とする画像再生装置。
【請求項２】
前記配置画作成手段は、サムネイル配置画の全領域を記憶媒体ごとに区分けしてサムネイルを配置する請求項１に記載の画像再生装置。
【請求項３】
記憶媒体を装着する装着部を備え、
前記配置画作成手段は、前記装着部が装着した記憶媒体に記憶してある画像に応じたサムネイルを含むサムネイル配置画を作成する請求項１又は請求項２に記載の画像再生装置。
【請求項４】
記憶媒体を装着する装着部を備え、
該装着部が記憶媒体を装着していない場合、前記配置画作成手段は、該装着部が装着する記憶媒体用の区域を他の記憶媒体用に振り当てて区分けしたサムネイル配置画を作成する請求項２に記載の画像再生装置。
【請求項５】
複数の記憶媒体の中の少なくとも一つは装置内に取り付けてある内蔵記憶媒体であり、
前記装着部が装着した記憶媒体に記憶してある画像に応じたサムネイルを前記内蔵記憶媒体に複写する手段を備え、
前記配置画作成手段は、前記内蔵記憶媒体に記憶してあるサムネイルに基づいてサムネイル配置画を作成する請求項３又は請求項４に記載の画像再生装置。
【請求項６】
前記出力手段が出力する範囲が、前記配置画作成手段が作成したサムネイル配置画の一部である場合、サムネイル配置画のスクロール命令を受け付けることが可能な命令受付手段と、
該命令受付手段がスクロール命令を受け付けた場合、サムネイル配置画の他部を含む範囲を前記出力手段が出力するように出力範囲を移動する手段と
を備える請求項１乃至請求項５のいずれか１つに記載の画像再生装置。
【請求項７】
前記出力手段が出力したサムネイル配置画に含まれるサムネイルの選択を受け付ける手段と、
スクロール命令の受付に応じた出力範囲の移動により、選択を受け付けたサムネイルが出力範囲中の端に位置する場合、選択を受け付けたサムネイルを出力範囲中の端に残して出力範囲の移動を行う手段と
を備える請求項６に記載の画像再生装置。
【請求項８】
複数の記憶媒体のそれぞれに記憶してある画像の中に動画が含まれており、
前記サムネイル配置画に含まれる動画に応じたサムネイルは、該サムネイルに係る動画の記憶場所を示す場所情報が関連付けてあり、
動画に応じたサムネイルの選択を受け付けた場合、該サムネイルに関連付けてある場所情報に基づいて動画の再生を行う動画再生手段を備え、
前記出力手段は、前記動画再生手段が再生する動画をサムネイル配置画中の選択されたサムネイルの箇所に配置して出力する請求項７に記載の画像再生装置。
【請求項９】
複数の記憶媒体のそれぞれに記憶してある画像の中に動画が含まれており、
前記サムネイル配置画に含まれる動画に応じたサムネイルは、該サムネイルに係る動画の記憶箇所を示す場所情報が関連付けてあり、
前記出力手段が出力したサムネイル配置画に含まれるサムネイルの選択を受け付ける選択受付手段と、
該選択受付手段が動画に応じたサムネイルの選択を受け付けた場合、該サムネイルに関連付けてある場所情報に基づいて動画の再生を行う動画再生手段とを備え、
前記出力手段は、前記動画再生手段が再生する動画をサムネイル配置画中の選択されたサムネイルの箇所に配置して出力する請求項１乃至請求項６のいずれか１つに記載の画像再生装置。
【発明の詳細な説明】
【技術分野】
【０００１】
本発明は、複数の記憶媒体に記憶してある画像の再生を行うものであり、特に装置にセットされた状態の各記憶媒体に記憶された画像内容を表すサムネイルを組み合わせて配置した全サムネイルを表示し、一度に全記憶媒体の内容を確認できるようにした画像再生装置に関する。
【背景技術】
【０００２】
従来、複数種類の記憶媒体に対応した装置（録画再生装置、再生装置等）が存在する。例えば、ＤＶＤ（Digital Versatile Disc）のような記憶メディア用のドライブ部を設けると共に、ハードディスク装置のような大容量の記憶媒体を内蔵した装置が存在する。このような複数種類の記憶媒体に対応した装置は、異なる記憶媒体間でデータのダビング等を行って記憶内容の整理、編集可能にしていることが一般的である。
【０００３】
また、近時は、ＤＶＤ以上の記録容量を確保した記録メディアであるブルーレイディスク（Blu-ray Disc：登録商標）、ＨＤ−ＤＶＤ（High Definition ＤＶＤ）等に対応した装置も登場しており、ＤＶＤ、ブルーレイディスク（以下、ＢＤと称す）、及びハードディスク装置の３種類の記憶媒体に対してデータの読み書きを行える装置も存在する。
【０００４】
上述した装置は、各記憶媒体に画像（動画、静止画）が記憶されている場合、画像の内容を一目で確認できるように画像を縮小したサムネイルを複数配置した表示（サムネイル表示）を記憶媒体ごとに行えるようにしている。なお、サムネイルは記憶媒体に予め記憶されている場合と、記憶媒体に記憶されている画像に基づき作成される場合があり、記憶媒体に予めサムネイルが記憶されている場合の方がスムーズに表示を行える。
【０００５】
また、下記の特許文献１では、サムネイルを予め記憶媒体に記憶せずに、サムネイルを動画像又は静止画像として表示可能にした方法が開示されている。
【特許文献１】特開２００３−６１０３９号公報
【発明の開示】
【発明が解決しようとする課題】
【０００６】
複数の記憶媒体に対応した装置も勿論サムネイル表示を行えるが、サムネイル表示の形態は記憶媒体ごとの表示に留まっているのが現状であり、そのため、各記憶媒体に記憶されている画像を一度に確認できないと云う問題がある。例えば複数の記憶媒体のそれぞれに記憶されている各画像を集めて編集作業を行うような場合、記憶媒体ごとのサムネイル表示を随時切り替えて、編集対象の画像を選定する必要があるため、非常に手間がかかると云う問題がある。
【０００７】
本発明は、斯かる問題に鑑みてなされたものであり、装置にセットされてアクセスできる状態の各記憶媒体のサムネイルを集めて表示し、一度に全記憶媒体のサムネイルを確認できるようにした画像再生装置を提供することを目的とする。
また、本発明は複数の記憶媒体に対するサムネイル表示を一画面で行う場合に、サムネイル表示の状態でスクロール及び動画再生を可能にして、各記憶媒体に記憶してある内容を効率的に確認できるようにした画像再生装置を提供することを目的とする。
【課題を解決するための手段】
【０００８】
上記課題を解決するために本発明に係る画像再生装置は、複数の記憶媒体のそれぞれに記憶してある画像の再生が可能な画像再生装置において、別々の記憶媒体に記憶してある画像に応じたサムネイルを組み合わせて配置したサムネイル配置画を作成する配置画作成手段と、作成したサムネイル配置画を出力する出力手段とを備えることを特徴とする。
【０００９】
本発明にあっては、複数の記憶媒体に記憶してある画像に応じたサムネイルを配置したサムネイル配置画を作成して出力するので、画像再生装置にセットされてアクセス可能な全記憶媒体に記憶されている画像の内容をユーザは一度で確認できるようになり、各記憶媒体の記憶内容を効率良く把握して、整理編集にかかる手間を低減できる。
【００１０】
本発明に係る画像再生装置は、前記配置画作成手段は、サムネイル配置画の全領域を記憶媒体ごとに区分けしてサムネイルを配置することを特徴とする。
【００１１】
本発明にあって、出力されるサムネイル配置画に含まれるサムネイルは、記憶媒体ごとに区分けされて配置されるので、各記憶媒体に係るサムネイルをサムネイル配置画に含ませて一度に出力しても、区分けされた領域に応じて、どのような画像が、どの記憶媒体に記憶されているかを一目で判別できる。その結果、整理編集作業も効率的に行える。なお、区分けの仕方としては、記憶媒体ごとの区分けを明確に判別しやすくするため、サムネイル配置画の縦方向の列ごとに、又は横方向の列ごとに行うことが好ましい。また、縦方向の列ごとに区分けを行うか、又は、横方向ごとに区分けを行うかは、サムネイル配置画の出力先となる画像再生装置に接続される表示装置（テレビジョン装置）の画面サイズ、画面の解像度に応じて決定することが好適であり、さらに、画像再生装置が対応する記憶媒体の数に応じて縦方向にするか、横方向にするかを特定してもよい。
【００１２】
本発明に係る画像再生装置は、記憶媒体を装着する装着部を備え、前記配置画作成手段は、前記装着部が装着した記憶媒体に記憶してある画像に応じたサムネイルを含むサムネイル配置画を作成することを特徴とする。
【００１３】
本発明にあっては、装着部に装着された記憶媒体に対してサムネイル配置画を作成するので、実際にセットされている記憶媒体に記憶してある画像を確実に確認できるようになる。よって、装着部が複数あり、複数の装着部が全て記憶媒体を受け入れている場合は、全ての記憶媒体に対して記憶された画像を確認でき、複数の装着部中の一部の装着部にだけ記憶媒体が受け入れてあれば、受け入れられた記憶媒体に対してサムネイル表示が行われ、記憶媒体の実際の装着状態に応じて臨機応変にサムネイル表示を行える。
【００１４】
本発明に係る画像再生装置は、記憶媒体を装着する装着部を備え、該装着部が記憶媒体を装着していない場合、前記配置画作成手段は、該装着部が装着する記憶媒体用の区域を他の記憶媒体用に振り当てて区分けしたサムネイル配置画を作成することを特徴とする。
【００１５】
本発明にあっては、装着部に記憶媒体が装着されていない場合、その記憶媒体用の区域を空いた状態にするのではなく、他の記憶媒体に係るサムネイルの配置用に振り当てるので、サムネイル配置画が有する全領域を有効に活用して、常に多数のサムネイルを配置した表示を行える。
【００１６】
本発明に係る画像再生装置は、複数の記憶媒体の中の少なくとも一つは装置内に取り付けてある内蔵記憶媒体であり、前記装着部が装着した記憶媒体に記憶してある画像に応じたサムネイルを前記内蔵記憶媒体に複写する手段を備え、前記配置画作成手段は、前記内蔵記憶媒体に記憶してあるサムネイルに基づいてサムネイル配置画を作成することを特徴とする。
【００１７】
本発明にあっては、装着部に装着された記憶媒体に記憶してある画像に応じたサムネイルを内蔵記憶媒体に複写するので、配置画作成手段は内蔵記憶媒体に記憶されたサムネイルに基づいてサムネイル配置画の作成が可能になる。そのため、内蔵記憶媒体に対するアクセスだけでサムネイル配置画を作成して、サムネイル配置画の作成に要する時間を短縮し、サムネイル配置画を迅速に表示できる。
【００１８】
本発明に係る画像再生装置は、前記出力手段が出力する範囲が、前記配置画作成手段が作成したサムネイル配置画の一部である場合、サムネイル配置画のスクロール命令を受け付けることが可能な命令受付手段と、該命令受付手段がスクロール命令を受け付けた場合、サムネイル配置画の他部を含む範囲を前記出力手段が出力するように出力範囲を移動する手段とを備えることを特徴とする。
【００１９】
本発明にあっては、スクロール命令を受け付けた場合、サムネイル配置画の出力範囲を移動するので、全記憶媒体に対するサムネイルを配置したサムネイル表示を随時スクロールできる。そのため、各記憶媒体に多数の画像を記憶されていることにより、一度のサムネイル表示で全サムネイルを表示できない場合でも、ユーザはスクロールすることで各サムネイルを随時確認でき、良好な使い勝手をユーザに提供できる。
【００２０】
本発明に係る画像再生装置は、前記出力手段が出力したサムネイル配置画に含まれるサムネイルの選択を受け付ける手段と、スクロール命令の受付に応じた出力範囲の移動により、選択を受け付けたサムネイルが出力範囲中の端に位置する場合、選択を受け付けたサムネイルを出力範囲中の端に残して出力範囲の移動を行う手段とを備えることを特徴とする。
【００２１】
本発明にあっては、スクロールにより選択されたサムネイルが出力範囲の端に位置する場合、選択されたサムネイルを出力範囲中の端に残してスクロールを行うので、ユーザがサムネイルを一旦選択すれば、そのサムネイルはスクロールを行っても常に表示されることになる。その結果、例えば、整理編集のために選択したサムネイルを常に表示した状態で、新たな整理編集対象のサムネイルを探すためにスクロールを行うことができ、整理編集対象のサムネイルを探しやすくなると共に、スクロールを終えたあとは、選択したサムネイルが出力範囲中に残った状態となり、後の整理編集作業も行い易くなる。
【００２２】
本発明に係る画像再生装置は、複数の記憶媒体のそれぞれに記憶してある画像の中に動画が含まれており、前記サムネイル配置画に含まれる動画に応じたサムネイルは、該サムネイルに係る動画の記憶場所を示す場所情報が関連付けてあり、動画に応じたサムネイルの選択を受け付けた場合、該サムネイルに関連付けてある場所情報に基づいて動画の再生を行う動画再生手段を備え、前記出力手段は、前記動画再生手段が再生する動画をサムネイル配置画中の選択されたサムネイルの箇所に配置して出力することを特徴とする。
【００２３】
本発明にあっては、選択したサムネイルに係る動画を再生表示するため、サムネイルのような一場面だけでなく、動画の他の場面も連続的にユーザが見ることができ、整理編集対象となる画像の中身を一段と詳細に確認でき、整理編集作業の効率化を図れる。なお、動画の再生表示はサムネイル表示中の複数のサムネイルに対して同時的に行えるようにすることが、多数の動画内容を一度に確認できるため好適である。
【００２４】
本発明に係る画像再生装置は、複数の記憶媒体のそれぞれに記憶してある画像の中に動画が含まれており、前記サムネイル配置画に含まれる動画に応じたサムネイルは、該サムネイルに係る動画の記憶箇所を示す場所情報が関連付けてあり、前記出力手段が出力したサムネイル配置画に含まれるサムネイルの選択を受け付ける選択受付手段と、該選択受付手段が動画に応じたサムネイルの選択を受け付けた場合、該サムネイルに関連付けてある場所情報に基づいて動画の再生を行う動画再生手段とを備え、前記出力手段は、前記動画再生手段が再生する動画をサムネイル配置画中の選択されたサムネイルの箇所に配置して出力することを特徴とする。
【００２５】
本発明にあっては、サムネイル表示状態で選択されたサムネイルに係る動画を再生表示できるため、サムネイル表示の表示形態を多様にでき、整理編集作業の効率化にも貢献できる。なお、本発明でもサムネイル表示中の複数のサムネイルに対して同時的に動画再生を行えるようにすることが好ましい。
【発明の効果】
【００２６】
本発明にあっては、複数の記憶媒体に記憶してある画像に応じたサムネイルを配置したサムネイル配置画を作成して出力するので、セットされた全記憶媒体に記憶された画像の内容をユーザは一度で確認できる。
本発明にあっては、サムネイル配置画は、記憶媒体ごとに区分けしてサムネイルを配置するので、記憶媒体ごとの区分けを参照して、どの記憶媒体に、どのような内容の画像が記憶されているかを容易に判別できる。
【００２７】
本発明にあっては、装着部に受け入れられた記憶媒体に対してサムネイル配置画を作成するので、実際にセットされている記憶媒体に記憶してある画像の中身を確認できる。
本発明にあっては、装着部が記憶媒体を受け入れていない場合、その記憶媒体用の区域を他の記憶媒体に係るサムネイルの配置用に振り当てるので、サムネイル配置画が有する全領域を有効に活用して多数のサムネイルを配置できる。
本発明にあっては、装着部が受け入れた記憶媒体に記憶してある画像に応じたサムネイルを内蔵記憶媒体に複写するので、スピーディーにサムネイル配置画を表示できる。
【００２８】
本発明にあっては、スクロール命令を受け付けた場合、サムネイル配置画の出力範囲を移動するので、全記憶媒体のサムネイルを含むサムネイル表示を随時スクロールでき、多数のサムネイルを効率的に表示できる。
本発明にあっては、スクロールにより選択されたサムネイルが出力範囲の端に位置する場合、選択されたサムネイルを出力範囲中の端に残してスクロールを行うことにより、選択したサムネイルを常に表示した状態で、ユーザは他の所望のサムネイルも容易に探すことができる。
【００２９】
本発明にあっては、選択したサムネイルに係る動画を再生表示するため、サムネイルに係る動画を連続的に確認でき、整理編集作業の効率化を図れる。
本発明にあっては、サムネイル表示状態で選択されたサムネイルに係る動画を再生表示できるため、サムネイル表示の多様性を実現でき、整理編集作業の効率化に貢献できる。
【発明を実施するための最良の形態】
【００３０】
図１は、本発明の実施形態に係る録画再生装置１（画像再生装置に相当）の主要な内部構成を示すブロック図である。本実施形態の録画再生装置１は、ハードディスク装置７を内蔵すると共に、ＤＶＤドライブ部８、ＢＤドライブ部９、及びＨＤ−ＤＶＤドライブ部１０を設けており、ＤＶＤ、ＢＤ、及びＨＤ−ＤＶＤと云う３種類の光ディスク（記憶媒体、記憶メディア）を同時的に装着でき、ハードディスク装置７を含めて計４種類の記憶媒体に対応したものである。また、録画再生装置１は、アクセス可能な別々の記憶媒体に記憶された画像に応じたサムネイルを組み合わせて配置した全サムネイル表示を行えることが特徴である（図２参照）。以下、録画再生装置１の内部構成について説明する。
【００３１】
録画再生装置１は、チューナ部２、画像処理部３、メモリ４、制御部５、外部出力部６、ハードディスク装置７、ＤＶＤドライブ部８、ＢＤドライブ部９、ＨＤ−ＤＶＤドライブ部１０、操作部１１、及びリモコン装置１３の受光部１２を内部バス１ａで接続した構成にしている。上述した各部の中で制御部５が録画再生装置１の各種機能を実現するために、各部（２、３等）の作動に係る処理を制御している。以下、各部（２、３等）を説明する。
【００３２】
チューナ部２は、放送電波の受信を行うものである。また、画像処理部３は画像を再生表示するための処理を行い、特に、再生表示の対象が動画である場合、動画の再生に係る各種処理を制御部５の制御に基づき行う。メモリ４は、制御部５の処理に係るデータ及びファイルを一時的に記憶する部分と、制御部５が行う制御内容を規定したプログラムＰを記憶する部分を有し、前者の部分には出力用の表示データ等が一時的に記憶される。
【００３３】
外部出力部６は、テレビジョン装置のような表示装置１９が接続されるものであり、録画再生装置１が各種内容を出力する出力手段に相当している。よって、録画再生装置１が画像等を外部出力部６を通じて表示装置１９へ出力すると、表示装置１９の表示画面１９ａには出力内容が表示される。なお、表示装置１９は、録画再生装置１の構成要素には含まれない。
【００３４】
ハードディスク装置７は、録画再生装置１内に取り付けられた内蔵記憶媒体に相当し、チューナ部２で放送された番組コンテンツに相当する動画タイトル（第１タイトル〜第ｎタイトル）、及び各動画タイトルの最初のフレームを表すサムネイルを記憶する。なお、ハードディスク装置７に記憶されるサムネイルには、サムネイルに応じた動画タイトルのハードディスク中の記憶場所（アドレス）を示す関連情報が付されているものとする。またハードディスク装置７は、制御部５の制御処理に基づき、他のドライブ部８〜１０を通じてダビングされてきたコンテンツ、及び様々なデータ、ファイル等も記憶する。
【００３５】
ＤＶＤドライブ部８、ＢＤドライブ部９、及びＨＤ−ＤＶＤドライブ部１０はそれぞれ、ＤＶＤ、ＢＤ、及びＨＤ−ＤＶＤ（記憶メディア）を装着する装着部に相当し、装着された記憶メディアに記憶されている内容の読出及び書込処理を行う。なお、各記憶メディア（ＤＶＤ、ＢＤ、及びＨＤ−ＤＶＤ）には複数の画像（動画タイトル）が予め記憶されていると共に、各タイトルの最初のフレームを表すサムネイルも記憶されているものとする。また、これらサムネイルには、各サムネイルに応じた動画タイトルが記憶されている記憶メディア中の場所（アドレス）を示す場所情報が関連付けられているものとする。
【００３６】
操作部１１は、上下左右キー及び決定キー（図示せず）等の複数のキーボタンで構成されており、ユーザがボタン及びスイッチ等を操作することでユーザの操作命令を受け付けて、受け付けた操作命令を制御部５へ伝達する。なお、本実施形態の操作部１１は、図２に示すような複数の記憶メディアのサムネイルを一度に表示する全サムネイル表示を行う操作命令、全サムネイル表示をスクロールさせるスクロール命令、全サムネイル表示中のいずれかのサムネイルの選択命令等の各種命令の受付が可能になっている。
【００３７】
受光部１２は、リモコン装置１３から発せられる命令信号を含む光を受光するものであり、受光した光に含まれる命令信号を制御部５へ伝達する。なお、録画再生装置１に付随するリモコン装置１３は、操作部１１と同等の操作命令をユーザから受け付けられるように上下左右キー及び決定キー等を有している。
【００３８】
次に、制御部５が行う録画再生装置１の各種機能に対する制御処理の中で、本発明の特徴となる図２に示す全サムネイル表示を行うための制御処理に関する内容を説明する。
先ず、制御部５は、各ドライブ部８〜１０に記憶メディア（ＤＶＤ、ＢＤ、ＨＤ−ＤＶＤ）が装着されたか否かを検出しており、装着を検出した場合、装着された記憶メディアに記憶されたサムネイルをハードディスク装置７へ複写する制御を行う。
【００３９】
また、制御部５は、ハードディスク装置７が、複写されたサムネイルと予め記憶していた自身に記憶されていたタイトルのサムネイルをサムネイルデータ１４として記憶するように制御を行う。このような状態で、操作部１１又はリモコン装置１３が、図２に示すような全サムネイル表示を行う操作命令を受け付けた場合、ハードディスク装置７に記憶されたサムネイルデータ１４に基づいて表示装置１９で表示させるためのサムネイルレイアウトデータ２０（サムネイル配置画に相当）をメモリ４で作成する処理を、制御部５は行う。
【００４０】
図３は、サムネイルレイアウトデータ２０の表示装置１９での表示形態に応じた構成を示している。サムネイルレイアウトデータ２０は、表示装置１９の表示画面１９ａでの表示形態（図２に示す全サムネイル表示）における縦方向に沿って区切った計４個の帯状部分２０ｃ〜２０ｆを有しており、また、各帯状部分２０ｃ〜２０ｆは、上段に記憶メディアの種類を示す識別欄２０ａと、識別欄２０ａの下方にサムネイル配置用の配置欄２０ｂを有している。
【００４１】
なお、サムネイルレイアウトデータ２０に計４個の帯状部分２０ｃ〜２０ｆを設けているのは、録画再生装置１が最大で計４個の記憶メディアを有する状態になるためであり、サムネイルレイアウトデータ２０の全領域を記憶メディアごとの帯状部分２０ｃ〜２０ｆとして区分けする。また、制御部５は、デフォルト（基本状態）として左から１番目の帯状部分２０ｃはハードディスク装置７用に割り当てており、以下、左から２番目の帯状部分２０ｄをＤＶＤ用、左から３番目の帯状部分２０ｅをＢＤ用、左から４番目の帯状部分２０ｆをＨＤ−ＤＶＤ用に割り当てている。なお、このような割当は、あくまで基本的なものであり、制御部５は各記憶メディアの装着状況に応じて割当を変更する制御を行う。
【００４２】
図４は、各ドライブ部８〜１０の全てに記憶メディア（ＤＶＤ、ＢＤ、ＨＤ−ＤＶＤ）が装着されていて、ハードディスク装置７及び各記憶メディアに動画タイトルが記憶されている場合に作成されたサムネイルレイアウトデータ２０の例を示している。制御部５は、帯状部分２０ｃの識別欄２０ａに「ＨＤＤ」と記載し、以下、帯状部分２０ｄの識別欄２０ａに「ＤＶＤ」、帯状部分２０ｅの識別欄２０ａに「ＢＤ」、帯状部分２０ｆの識別欄２０ｆに「ＨＤ−ＤＶＤ」とそれぞれ記載している。
【００４３】
また、図４に示す場合は、ハードディスク装置７が計１２個の動画タイトルを記憶し、ＤＶＤは計４個の動画タイトルを記憶し、ＢＤは計８個の動画タイトルを記憶し、ＨＤ−ＤＶＤは計６個の動画タイトルを記憶しているものとする。そのため、制御部５は、ハードディスク装置７に記憶された１２個の動画タイトルに応じたサムネイル（ＨＤＤ１〜ＨＤＤ１２）を帯状部分２０ｃの配置欄２０ｂに上から順に配置し、ＤＶＤに記憶された４個の動画タイトルに応じたサムネイル（ＤＶＤ１〜ＤＶＤ４）を上から順に繰り返し配置し、ＢＤに記憶された８個の動画タイトルに応じたサムネイル（ＢＤ１〜ＢＤ８）を上から順に繰り返し配置し、ＨＤ−ＤＶＤに記憶された６個の動画タイトルに応じたサムネイル（ＨＤ−ＤＶＤ１〜ＨＤ−ＤＶＤ６）を上から順に繰り返し配置している。
【００４４】
図４に示す場合で、ＤＶＤ、ＢＤ、ＨＤ−ＤＶＤについては、記憶されている動画タイトル数がハードディスク装置７に比べて少ないため、制御部５はＤＶＤ、ＢＤ、ＨＤ−ＤＶＤのサムネイル繰り返し配置を行って、空いた箇所が生じないようしている。そのため、制御部５は、４種類の記憶メディアの中で最大の動画タイトル数に応じて配置欄２０ｂの行数を定めており、図４に示す場合では、ハードディスク装置７が最大数（１２個）の動画メディアを記憶するため、１行目Ｌ１〜１２行目Ｌ１２までの行を形成したサムネイルレイアウトデータ２０を作成している。
【００４５】
また、図５は、各ドライブ部８〜１０の中でＤＶＤドライブ部８にＤＶＤが装着されておらず、残りのドライブ部８、１０には記憶メディア（ＢＤ、ＨＤ−ＤＶＤ）が装着されており、ハードディスク装置７及び２枚の記憶メディア（ＢＤ、ＨＤ−ＤＶＤ）に動画のタイトルが記憶されている場合に作成されたサムネイルレイアウトデータ２０の例を示す。このように、記憶メディアが装着されていないドライブ部８がある場合、装着されていない記憶メディア用の区域（帯状部分）を、アクセス可能な記憶メディアの中で最大数の動画タイトルを有する記憶メディア用に振り当てる制御を制御部５は行う。
【００４６】
図５に示す場合は、ハードディスク装置７、ＢＤ、及びＨＤ−ＤＶＤのそれぞれは図４に示す場合と同数の動画タイトルを記憶しており、そのため、制御部５は、ハードディスク装置７に２個の帯状部分２０ｃ、２０ｄを割り当てている。なお、仮にＨＤ−ＤＶＤが最大数の動画タイトルを記憶しているときは、隣合う帯状部分を割り当てるため、ＢＤを左から２番目の帯状部分２０ｄに移動させて、左から３番目及び４番目の帯状部分２０ｅ、２０ｆをＨＤ−ＤＶＤ用に割り当てることになる。
【００４７】
図５に示すサムネイルレイアウトデータ２０は、その他の点では、基本的に図４に示す配置と同等であり、制御部５は帯状部分２０ｃ、２０ｄの識別欄２０ａに「ＨＤＤ」と記載すると共に、帯状部分２０ｅの識別欄２０ａに「ＢＤ」、帯状部分２０ｆの識別欄２０ｆに「ＨＤ−ＤＶＤ」と記載している。また、帯状部分２０ｃ、２０ｄによりハードディスク装置７に割り当てられた区域は２列になるため、１行目Ｌ１にＨＤＤ１、ＨＤＤ２、２行目Ｌ２にＨＤＤ３、ＨＤＤ４と云うようにサムネイルを配置している。そのため、ハードディスク装置７では６行目Ｌ６内にサムネイル（ＨＤＤ１〜ＨＤＤ１２）が収まるが、ＢＤの動画タイトル数が計８個であるため、８行目Ｌ８までのサムネイルレイアウトデータ２０を制御部５は作成している。
【００４８】
さらに、図６は、各ドライブ部８〜１０の中でＨＤ−ＤＶＤドライブ部１０のみに記憶メディア（ＨＤ−ＤＶＤ）が装着されて、他のドライブ部８、９には記憶メディア（ＤＶＤ、ＢＤ）が装着されておらず、ハードディスク装置７及びＨＤ−ＤＶＤに動画タイトルが記憶されている場合に作成されたサムネイルレイアウトデータ２０の例を示す。このような場合も、ＤＶＤ及びＢＤ用の区域（帯状部分２０ｄ、２０ｅ）を、アクセス可能な他の記憶メディアに割り当てる制御を制御部５は行う。
【００４９】
このように２個のドライブ部に記憶メディアが装着されていない場合、制御部５は、全領域を均等に割り当てるときと、３列の区域を一方の記憶メディアに割り当てると共に１列の区域を他方の記憶メディアに割り当てるときを判断して区分け制御を行う。具体的に制御部５は、多い動画タイトルを記憶する一方の記憶メディアの動画タイトル数が、他方の記憶メディアの動画タイトル数の２倍以上のときは後者（３列：１列）の割当を行い、多い動画タイトルを記憶する一方の記憶メディアの動画タイトル数が、他方の記憶メディアの動画タイトル数の２倍未満のときは前者（２列：２列）の割当を行う。
【００５０】
図６の場合では、ハードディスク装置７が記憶する動画タイトル数は１２個であり、ＨＤ−ＤＶＤが記憶する動画タイトル数は６個であるため、ハードディスク装置７に計３列の帯状部分２０ｃ〜２０ｅを割り当てて、ＨＤ−ＤＶＤには１列の帯状部分２０ｆを割り当てている。
【００５１】
なお、図６に示すサムネイルレイアウトデータ２０は、その他の点では、基本的に図４に示す配置と同等であり、制御部５は帯状部分２０ｃ〜２０ｅの識別欄２０ａに「ＨＤＤ」と記載すると共に、帯状部分２０ｆの識別欄２０ａに「ＨＤ−ＤＶＤ」と記載している。また、ＨＤ−ＤＶＤは６個の動画タイトル数を有するため、図６のサムネイルレイアウトデータ２０は、１行目Ｌ１〜６行目Ｌ６までの計６行を有した配置欄２０ｂを設けている。
【００５２】
さらにまた、図７は、各ドライブ部８〜１０の中でＢＤドライブ部９のみに記憶メディア（ＢＤ）が装着されて、他のドライブ部８、１０には記憶メディア（ＤＶＤ、ＨＤ−ＤＶＤ）が装着されておらず、ハードディスク装置７及びＢＤに動画タイトルが記憶されている場合に作成されたサムネイルレイアウトデータ２０の例を示す。この場合、ハードディスク装置７が記憶する動画タイトル数はＢＤが記憶する動画タイトル数の２倍未満になるため、ハードディスク装置７とＢＤには２列の区域がそれぞれ割り当てられている。
【００５３】
よって、制御部５は、帯状部分２０ｃ、２０ｄの識別欄２０ａに「ＨＤＤ」と記載し、帯状部分２０ｅ、２０ｆの識別欄２０ａに「ＢＤ」と記載している。また、ハードディスク装置は１２個の動画タイトル数を有するため、図７のサムネイルレイアウトデータ２０は１行目Ｌ１〜６行目Ｌ６までの計６行を有した配置欄２０ｂを設けている。
【００５４】
また、図８は、各ドライブ部８〜１０の全てに記憶メディア（ＢＤ、ＤＶＤ、ＨＤ−ＤＶＤ）が装着されておらず、ハードディスク装置７に動画タイトルが記憶されている場合に作成されたサムネイルレイアウトデータ２０の例を示す。この場合、全区域がハードディスク装置７に割り当てられることになり、制御部５は、帯状部分２０ｃ〜２０ｆの識別欄２０ａに「ＨＤＤ」と記載し、帯状部分２０ｃ〜２０ｆの配置欄２０ｂの１行目Ｌ１にＨＤＤ１〜ＨＤＤ４を配置し、２行目Ｌ２にＨＤＤ５〜ＨＤＤ８を配置し、３行目Ｌ３にＨＤＤ９〜ＨＤＤ１２を配置している。
【００５５】
また、制御部５は、上述したように作成したサムネイルレイアウトデータ２０の中で、識別欄２０ａ及び配置欄２０ｂの３行分（スクロール枠２１で示す範囲）を一度に表示装置１９の表示画面１９ａで表示する内容として外部出力部６から出力する制御を行う。よって作成したサムネイルレイアウトデータ２０が、図８に示すように配置欄２０ｂが３行以内であれば、全内容を一度に表示装置１９で表示できることになる。
【００５６】
一方、サムネイルレイアウトデータ２０の配置欄２０ｂが３行を越える場合（図４〜図７に示す場合）、全内容を一度に表示装置１９で表示できないため、制御部５は表示内容をスクロール可能なことを示す縦方向の矢印（図示せず）を付して表示装置１９へ出力すると共に、操作部１１、リモコン装置１３の上下キーでスクロール命令を受け付けるようにする。
【００５７】
例えば、図４のサムネイルレイアウトデータ２０で、１行目Ｌ１〜３行目Ｌ３までを表示装置１９で表示していた場合、下方向にスクロールするスクロール命令を録画再生装置１が受けると、制御部５はスクロール枠２１（配置欄２０ｂに対する出力範囲に相当）の位置を１行ずつ下降させる制御処理を行う。具体的には、スクロール命令を受けると、先ず、２行目Ｌ２〜４行目Ｌ４を囲うようにスクロール枠２１を下方に１行移動させる。これにより識別欄２０ａ及びスクロール枠２１で囲まれた２行目Ｌ２〜４行目Ｌ４までが外部出力部６から出力され、表示装置１９には、２行目Ｌ２〜４行目Ｌ４に配置されたサムネイルが表示される。
【００５８】
以降、スクロール命令が継続されている間、所定の時間間隔でスクロール枠２１を移動させる制御を制御部５は行い、これにより全サムネイル表示でのスクロールを実現している。なお、スクロールに関する処理は図４のサムネイルレイアウトデータ２０に基づいて説明したが、図５〜図７に示すサムネイルレイアウトデータ２０に対しても同様の処理内容を制御部５は行う。
【００５９】
また、図４〜図８に示すようなサムネイルレイアウトデータ２０を出力して表示装置１９に全サムネイル表示を行っている場合、録画再生装置１は表示されているサムネイルを操作部１１、リモコン装置１３の上下左右キー及び決定キーによりユーザからの選択を受け付けるようにしている。
【００６０】
サムネイルの選択を受け付けた場合、制御部５は、選択を受け付けたサムネイルに関連付けられた場所情報を参照し、その参照した場所情報に記憶されている動画タイトルの再生処理を画像処理部３に行わせる制御を行うと共に、再生した動画内容を、選択を受け付けたサムネイルの場所に配置して、サムネイルレイアウトデータ２０と共に外部出力部６から出力する制御を行う。制御部５がこのような制御を行うことで、ユーザが表示装置１９に表示された各サムネイルを選択すると、選択されたサムネイルの動画再生が表示されることになり、サムネイルのような一場面だけでなく、動画タイトルの中身を連続的に確認できるようになり、整理編集作業で各動画タイトルの中身を詳細に確認したい場合に役立つ機能になる。なお、サムネイルの選択は複数可能であり、複数選択された場合は、画像処理部３は時分割処理を行って複数の動画タイトルの再生を行う。
【００６１】
さらに、録画再生装置１は、サムネイルが選択された状態でスクロール命令を受け付けた場合、選択されたサムネイルが表示範囲の端に位置すれば、その選択されたサムネイルを出力範囲の端に残したまま、他のサムネイルをスクロールする処理を行う。
【００６２】
具体的には、図４に示すサムネイルレイアウトデータ２０において、スクロール枠２１で囲まれた１行目Ｌ１〜３行目Ｌ３が外部出力部６から出力されている場合で、スクロール方向と逆側で配置欄２０ｂの出力範囲の端となる１行目Ｌ１に位置するサムネイルＨＤＤ１がユーザにより選択されたとする。この場合、制御部５は、図９に示すように、左上角部３１ａを欠いたスクロール対象を規定するスクロール枠３１を形成し、以降、ユーザからスクロール命令を受け付けた場合、スクロール枠３１を移動させる制御を行う。また、制御部５は、スクロール枠３１で囲まれた範囲内と選択されたサムネイルＨＤＤ１を配置欄２０ｂ用のサムネイルとして外部出力部６から出力する制御を行う。
【００６３】
その結果、例えば、サムネイルＨＤＤ１が選択されて下方にスクロールする命令をユーザから受け付けると、表示装置１９の表示画面１９ａに表示されるサムネイルレイアウトデータ２０の表示出力内容は、図１０（ａ）（ｂ）に示すように遷移する。即ち、一旦サムネイルＨＤＤ１がユーザに選択されると、サムネイルＨＤＤ１はスクロール対象から外れて帯状部分２０ｃの識別欄を除いた１行目１９１に残り、帯状部分２０ｃの２行目１９１及び３行面１９３でハードディスク装置７に記憶されるサムネイルＨＤＤ３以降がスクロールされることになる。なお、他の帯状部分２０ｄ〜２０ｆでは通常と同様にスクロールが行われる。
【００６４】
また、選択できるサムネイルの個数は１個に限定されるものではなく、複数の選択が可能であり、録画再生装置１が２個以上の選択をユーザから受け付けた場合も、上記と同様に選択を受け付けたサムネイルが１行面１９１まで移動すると、以降、スクロール命令が継続しても１行目１９１に残る。
【００６５】
例えば、表示画面１９ａで図１０（ａ）の内容が表示されていた場合で、帯状部分２０ｅ（ＢＤ）の２行目１９２のサムネイルＢＤ３がユーザから選択を受け付けた場合、スクロール命令により図１０（ｂ）に示すようにサムネイルＢＤ３が１行面１９１に移動すると、制御部５は、図１１に示すようなスクロール枠４１を形成する。スクロール枠４１は、左上角部４１ａに加えて帯状部分２０ｅに相当する箇所の１行目１９１に相当する出力範囲の端部分４１ｂを切り欠いた形状になっている。
【００６６】
このようなスクロール枠４１を形成すると、制御部５は切り欠いた端部分４１ｂには、サムネイルＢＤ３を配置するように制御して、外部出力部６からスクロール枠４１で囲まれた範囲、及びサムネイルＨＤＤ１及びサムネイルＢＤ３を出力する。このような制御部５の制御処理により、サムネイルＢＤ３の選択後もスクロール命令が継続すると、図１０（ｃ）に示すように、帯状部分２０ｅでも１行面１９１にＢＤ３が残ったまま、２行面１９２及び３行目１９３でスクロールが行われる。
【００６７】
よって、本発明では、表示中のいずれかのサムネイルが選択された状態でスクロール命令を受け付けると、スクロールの進行方向と逆側の端となる行に選択されたサムネイルがスクロールの進行に伴い残ることになるので、スクロールを継続しても選択したサムネイルを常時確認でき、多数のサムネイルが存在する場合でもサムネイルの選択作業が容易になる。
【００６８】
なお、同一の帯状部分で複数のサムネイルが選択された場合、スクロール方向の端となる行から順に選択されたサムネイルが残ることになり、例えば、図１０（ｃ）に示す状態で帯状部分２０ｃのサムネイルＨＤＤ１、ＨＤＤ５が選択を受け付けた場合で下方へのスクロール命令が継続する場合、帯状部分２０ｃでは１行面１９１、２行目１９２にサムネイルＨＤＤ１、ＨＤＤ５が残り、３行目１９３のみでスクロールが行われることになる。また、上方へ進むスクロール命令の場合は、上述した場合と逆になり、上方へ進むスクロールの進行方向と逆側になる端（下行１９３）に選択されたサムネイルが残るように制御部５は制御を行う。
【００６９】
図１２に示す第１フローチャートは、上述した録画再生装置１のサムネイル表示に係る処理内容の手順を整理したものである。以下、この第１フローチャートに従って、サムネイル表示の処理手順を説明する。
まず、録画再生装置１（制御部５）は、各ドライブ部８〜１０に記憶メディアが装着されたか否かを検出する（Ｓ１）。
【００７０】
録画再生装置１は、各ドライブ部８〜１０に記憶メディアが装着されたことを検出した場合（Ｓ１：ＹＥＳ）、記憶メディアに記憶されたサムネイル（サムネイルデータ）をハードディスク装置７へ複写する（Ｓ２）。また、記憶メディアの装着を検出しなかった場合（Ｓ１：ＮＯ）、特にサムネイルの複写は行わない。次ぎに、録画再生装置１は、ユーザから全サムネイル表示の命令を受け付けたか否かを判断し（Ｓ３）、命令を受け付けない間は（Ｓ３：ＮＯ）、命令待ちの状態になる。
【００７１】
また、命令を受け付けた場合（Ｓ３：ＹＥＳ）、録画再生装置１は図４〜図７等に示すサムネイルレイアウトデータ２０を作成し（Ｓ４）、作成したサムネイルレイアウトデータ２０の一部又は全部を出力し（Ｓ５）、図２に示すような全サムネイル表示を表示装置１９の表示画面１９ａで行う。
【００７２】
図１３に示す第２フローチャートは、図１２の第１フローチャート中のサムネイルレイアウトデータ２０の作成処理段階（Ｓ４）の詳細な処理内容を表したものである。即ち、この処理段階（Ｓ４）において、録画再生装置１は装着した記憶メディア数を判断し（Ｓ１０）、記憶メディア数が３枚の場合（Ｓ１０：３枚）、図４に示すような各記憶メディアに応じた帯状部分２０ｃ〜２０ｆに係る列数の割合を１：１：１：１にしたサムネイルレイアウトデータ２０を作成する（Ｓ１１）。
【００７３】
また、装着した記憶メディア数が２枚の場合（Ｓ１０：２枚）、図５に示すような各記憶メディアに応じた帯状部分２０ｃ〜２０ｆに係る列数の割合を２：１：１にしたサムネイルレイアウトデータ２０を作成する（Ｓ１２）。さらに、装着した記憶メディア数が１枚の場合（Ｓ１０：１枚）、録画再生装置１は、一方の記憶メディアの記憶タイトル数が他方の記憶メディアの記憶タイトル数の２倍以上であるか否かを判断する（Ｓ１３）。
【００７４】
一方の記憶メディアの記憶タイトル数が他方の記憶メディアの記憶タイトル数の２倍以上である場合（Ｓ１３：ＹＥＳ）、図６に示すような各記憶メディアに応じた帯状部分２０ｃ〜２０ｆに係る列数の割合を３：１にしたサムネイルレイアウトデータ２０を作成する（Ｓ１４）。また、一方の記憶メディアの記憶タイトル数が他方の記憶メディアの記憶タイトル数の２倍以上でない場合（Ｓ１３：ＮＯ）、図７に示すような各記憶メディアに応じた帯状部分２０ｃ〜２０ｆに係る列数の割合を１（２列）：１（２列）にしたサムネイルレイアウトデータ２０を作成する（Ｓ１５）。なお、記憶メディアの装着がなければ、録画再生装置１は、図８に示す一つの記憶メディアのサムネイルのみを配置したサムネイルレイアウトデータ２０を作成することになる。
【００７５】
図１４に示す第３フローチャートは、上述した録画再生装置１においてサムネイル選択及びスクロール表示に係る処理内容の手順を整理したものである。以下、サムネイル選択及びスクロール表示に係る処理内容を第３フローチャートに基づき説明する。
先ず、録画再生装置１（制御部５）は、表示装置１９に表示した各サムネイルの中からユーザによりサムネイル選択を受け付けたか否かを判断する（Ｓ２０）。サムネイル選択を受け付けた場合（Ｓ２０：ＹＥＳ）、次に録画再生装置１は、選択されたサムネイルが表示装置１９の表示画面１９ａで表示されるサムネイル配置範囲（出力範囲）の端に位置するか否かを判断する（Ｓ２１）。
【００７６】
端に位置すると判断した場合（Ｓ２１：ＹＥＳ）、録画再生装置１は、図９及び図１１に示すように、選択されたサムネイルが位置する箇所を切り欠いたスクロール枠３１、４１を変形する（Ｓ２２）。なお、サムネイル選択を受け付けていない場合（Ｓ２０：ＮＯ）、及び選択されたサムネイルが端に位置しない場合（Ｓ２１：ＮＯ）はいずれも特に処理を行うことなく、先の処理段階（Ｓ２３）へ進む。
【００７７】
この状態で録画再生装置１は、ユーザからスクロール命令を受け付けたか否かを判断し（Ｓ２３）、スクロール命令を受け付けていない間は（Ｓ２３：ＮＯ）、スクロール命令の受付待ちとなり、スクロール命令を受け付けた場合（Ｓ２３：ＹＥＳ）、スクロール枠をスクロール命令に係る方向に従って移動し（Ｓ２４）、スクロール枠で囲まれた範囲を含むサムネイルレイアウトデータ２０を表示装置１９へ出力して、全サムネイル表示を行う。それから、録画再生装置１は、ユーザからのスクロール命令が継続しているか否かを判断し（Ｓ２５）、スクロール命令が継続すると判断した場合（Ｓ２５：ＹＥＳ）、最初のサムネイル選択の判断段階（Ｓ２０）へ戻る。また、スクロール命令が継続していないと判断した場合（Ｓ２５：ＮＯ）、録画再生装置１は処理を終了する。
【００７８】
なお、本実施形態１に係る録画再生装置１は、上述した形態に限定されるものではなく種々の変形例が存在する。まず、ハード的には、図１に示す構成に限定されるものではなく、各ドライブ部８〜１０の個数は適宜増減可能であり、また、各ドライブ部８〜１０は同じ種類の記憶メディアに対応したものを複数揃えてもよい。さらに、記憶メディアの装着部としては、半導体メモリ、装着式のハードディスクドライブ装置（例えば、ｉＶＤＲ規格に応じたハードディスクドライブ装置）を装着できるものを備えるようにしてもよく、これらの記憶メディアに記憶された画像に応じたサムネイルも同様に処理することが可能である。さらにまた、内蔵式のハードディスク装置７を複数設けた構成にすることも可能である。
【００７９】
また、サムネイル表示に係る処理の変形例としては、例えば、各記憶メディアにサムネイルが予め記憶されていない場合は、録画再生装置１の制御部５は、装着された記憶メディアに記憶された画像（動画、静止画）に応じたサムネイルを先ず作成してから、その作成したサムネイルをハードディスク装置７へ複写する処理を行う。また、本発明の録画再生装置１で対象となるサムネイルは、動画タイトルの最初のフレームに応じたものだけでなく、動画タイトルの各チャプタを示すサムネイルも対象にできる。
【００８０】
さらに、録画再生装置１の仕様を簡略化する場合は、選択されたサムネイルの動画再生を行う処理を省略することが可能である。また、動画再生機能は残したまま、スクロールの際に選択されたサムネイルを出力範囲の端に残す機能を省略してもよい。さらにまた、本発明の録画再生装置１は、静止画に応じたサムネイルも上述した処理を行うことで全サムネイル表示を行うことができ、サムネイルの選択及びスクロール表示についても、動画再生に係る処理を除いて上述した内容と同様の処理を行うことが可能である。
【００８１】
また、全サムネイル表示を行う場合、各記憶メディアに応じた帯状部分を縦方向の列として配置する以外に、出力先の表示装置１９の解像度、画面サイズ、又はユーザの嗜好に応じて帯状部分を横方向の列として並べるようにしてもよい。また、記憶メディアごとの区分けは列状に分ける以外に、配置欄２０ｂの領域をブロック的に分けるような形態も適用可能である。
【図面の簡単な説明】
【００８２】
【図１】本発明の実施形態に係る録画再生装置の構成を示すブロック図である。
【図２】全サムネイル表示の一例を示す概略図である。
【図３】サムネイルレイアウトデータの構成を示す概略図である。
【図４】全ての記憶メディアに応じたサムネイルレイアウトデータの構成を示す概略図である。
【図５】２枚の記憶メディアが装着された場合のサムネイルレイアウトデータの構成を示す概略図である。
【図６】１枚の記憶メディアが装着され、且つハードディスク装置の記憶メディア数がＨＤ−ＤＶＤの記憶タイトル数の２倍以上である場合のサムネイルレイアウトデータの構成を示す概略図である。
【図７】１枚の記憶メディアが装着され、且つハードディスク装置の記憶メディア数がブルーレイディスクの記憶タイトル数の２倍未満である場合のサムネイルレイアウトデータの構成を示す概略図である。
【図８】記憶メディアが装着されていない場合でハードディスク装置のみのサムネイルを配置したサムネイルレイアウトデータの構成を示す概略図である。
【図９】サムネイルが選択された場合に１箇所を切り欠いたスクロール枠と、サムネイルレイアウトデータとを示す概略図である。
【図１０】（ａ）〜（ｃ）は、サムネイルが選択された場合の全サムネイル表示の表示内容の遷移を示す概略図である。
【図１１】２個のサムネイルが選択された場合の２箇所を切り欠いたスクロール枠を示す概略図である。
【図１２】サムネイル表示に係る処理手順を示す第１フローチャートである。
【図１３】サムネイルレイアウトデータの作成に係る処理手順を示す第２フローチャートである。
【図１４】サムネイルの選択及び全サムネイル表示のスクロール命令に対する処理手順を示す第３フローチャートである。
【符号の説明】
【００８３】
１  録画再生装置
５  制御部
６  外部出力部
７  ハードディスク装置
８  ＤＶＤドライブ部
９  ＢＤドライブ部
１０  ＨＤ−ＤＶＤドライブ部
１１  操作部
１３  リモコン装置
１４  サムネイルデータ
１９  表示装置
２０  サムネイルレイアウトデータ
【図１】
2007096937.tif 000003
【図２】
2007096937.tif 000004
【図３】
2007096937.tif 000005
【図４】
2007096937.tif 000006
【図５】
2007096937.tif 000007
【図６】
2007096937.tif 000008
【図７】
2007096937.tif 000009
【図８】
2007096937.tif 000010
【図９】
2007096937.tif 000011
【図１０】
2007096937.tif 000012
【図１１】
2007096937.tif 000013
【図１２】
2007096937.tif 000014
【図１３】
2007096937.tif 000015
【図１４】
2007096937.tif 000016